【手続補正書】
【提出日】平成23年4月27日(2011.4.27)
【手続補正１】
【補正対象書類名】明細書
【補正対象項目名】００２１
【補正方法】変更
【補正の内容】
【００２１】
おそらく図５および図６に最もよく示されるように、各磁石セグメント５０は、凹形の半円筒形の内面５２を含む。内面５２は、ハブ４４の外面を補完する。別の実施例においてハブ４４の外側が円筒形以外の形状を示す場合には、磁石セグメント５０の内面５２は嵌め合い適合するように形作られるであろう。各磁石セグメント５０は、凸形の半円筒形の外面５４も含む。対向する、概して平行な側部端縁６０はそれぞれ、上端５６と下端５８との間に延在している。各磁石セグメント５０はさらに、上端５６に隣接した第１の舌部６２および下端５８に隣接した対応する第２の舌部６４を装着される。第１の舌部６２および第２の舌部６４は各々、外面５４から嵌め込まれた半円形の肩部と凸形の半円筒形の壁とを含む。第２の舌部６４は、径方向に内側に形成された回転防止突起６６同士の間の保持ポケット４８に嵌るように大きさを決められ、形作られる。したがって、第２の舌部６４は、図８に示されるように、その肩部が保持ポケット４８の上部端縁に寄りかかりながら保持ポケット４８に滑り込むように寸法が決められる。好ましくは、保持ポケット４８の外形寸法は、図８に示される動作位置に据付けられたときの磁石セグメント５０の外形寸法と実質的に等しく、したがって、ロータ４２の概して同一平面上の外側を確立する。
【手続補正２】
【補正対象書類名】特許請求の範囲
【補正対象項目名】全文
【補正方法】変更
【補正の内容】
【特許請求の範囲】
【請求項１】
液体燃料ポンプなどで用いられるタイプのブラシレス直流（ＢＬＤＣ）電気モータアセンブリのための、動作する配列でロータ上に永久磁石セグメントを取付けるための方法であって、
外面を備えたハブセクションを有する回転シャフトを設けるステップと、
複数の永久磁石セグメントを設けるステップとを備え、各磁石セグメントは対向する端部を有し、前記方法はさらに、
ハブセクションの外面上の動作位置に磁石セグメントを支持するステップを備え、
磁石セグメントを支持する前記ステップは、ハブの外面の周りに等しい弓形の単位で並べて磁石セグメントを配置するステップを含み、前記方法はさらに、
導電性材料から環状リングを作製するステップと、
磁石セグメントの少なくとも一端をリングで緩く囲むステップと、
各磁石セグメントを締め付けて、ハブの外面にきつく押付けて係合させ、回転シャフト上の動作位置に磁石セグメントをまとめて保持するように、高エネルギパルス磁場を用いて強力な電流の流れを中に引き起こすことによってリングを急速に収縮させるステップとを備え、それによって、ハブ上の磁石セグメントの保持が、高生産環境において確実に、安価におよび効率的に実現される、方法。
【請求項２】
環状リングを作製する前記ステップは、金属からリングを形成するステップを含む、請求項１に記載の方法。
【請求項３】
環状リングを作製する前記ステップは、アルミニウムまたはその合金からリングを形成するステップを含む、請求項１に記載の方法。
【請求項４】
複数の永久磁石セグメントを設ける前記ステップは、リングを受けるための、一端に隣接した第１の舌部を有する各磁石セグメントを作製するステップを含む、請求項１に記載の方法。
【請求項５】
回転シャフトを設ける前記ステップは、各磁石セグメントの一端を受けるための保持ポケットを形成するステップを含む、請求項４に記載の方法。
【請求項６】
複数の永久磁石セグメントを設ける前記ステップは、保持ポケットに嵌るための、他端に隣接した第２の舌部を有する各磁石セグメントを作製するステップを含む、請求項５に記載の方法。
【請求項７】
複数の永久磁石セグメントを設ける前記ステップは、凸形の半円筒形の外面を有する各磁石セグメントを作製するステップを含む、請求項１に記載の方法。
【請求項８】
環状リングを作製する前記ステップは、リングの外周端縁を形成するステップを含み、リングを急速に収縮させる前記ステップは、リングの外周端縁が各磁石セグメントの外面と概して同一平面上に整列すると収縮を停止させるステップを含む、請求項７に記載の方法。
【請求項９】
液体燃料ポンプなどで用いられるタイプのブラシレス直流（ＢＬＤＣ）電気モータアセンブリであって、
制御された電磁場を生成するためのステータを備え、前記ステータは、中心長手方向軸を規定し、前記モータアセンブリはさらに、
前記長手方向軸の周りで回転するように支持されたシャフトを備え、前記シャフトは、外面を有するハブセクションを含み、前記モータアセンブリはさらに、
前記シャフトとともに回転するように前記ハブの前記外面上に支持された複数の永久磁石セグメントを備え、前記磁石セグメントの各々は、長手方向に間隔があいた対向する端部を有し、前記磁石セグメントは、前記ハブの周りに等しい弓形の単位で並べて配置され、前記モータアセンブリはさらに、
前記配列された複数の磁石セグメントの前記端部のうちの少なくとも１つを囲む環状リングを備え、前記リングは、前記磁石セグメントの各々を概して均一に圧縮して、前記ハブの周りで動作位置に前記磁石セグメントを保持するように電磁気形成動作の際に変形しており、それによって、前記リングは、高生産環境において効率的である、信頼性のある、安価な態様で、前記ハブ上に前記磁石セグメントを保持するように動作する、アセンブリ。
【請求項１０】
前記リングは、金属材料から作製される、請求項９に記載のアセンブリ。
【請求項１１】
前記リングは、アルミニウムまたはその合金から作製される、請求項１０に記載のアセンブリ。
【請求項１２】
前記ハブセクションは、前記磁石の各々の前記長手方向に間隔があいた端部のうちの１つを受けるための一体的な保持ポケットを含む、請求項９に記載のアセンブリ。
【請求項１３】
前記保持ポケットは、ハブに対する磁石セグメントの回転を防止するための回転防止突起を含む、請求項１２に記載のアセンブリ。
【請求項１４】
前記磁石セグメントの各々は、前記リングを受けるための、前記長手方向に間隔があいた端部のうちの一方に隣接した第１の舌部を含む、請求項１３に記載のアセンブリ。
【請求項１５】
前記磁石セグメントの各々は、前記保持ポケットに嵌るための、前記長手方向に間隔があいた端部のうちの他方に隣接した第２の舌部を含む、請求項１４に記載のアセンブリ。
【請求項１６】
前記シャフト上に前記保持ポケットと一体的に形成されたポンプ駆動継手をさらに含む、請求項１２に記載のアセンブリ。
【請求項１７】
前記リングは、前記長手方向軸の周りで回転のバランスが保たれている、請求項９に記載のアセンブリ。
【請求項１８】
前記磁石セグメントの各々は、凸形の半円筒形の外面を含む、請求項９に記載のアセンブリ。
【請求項１９】
前記リングは、前記磁石セグメントの各々の前記外面と概して同一平面上に整列した外周端縁を有する、請求項１８に記載のアセンブリ。
【請求項２０】
ブラシレス直流（ＢＬＤＣ）電気モータアセンブリにおいてロータ上に支持された磁石セグメントのアレイで用いられるタイプの永久磁石セグメントであって、
内面と、
凸形の半円筒形の外面と、
上端と、
前記上端から長手方向に間隔があいた下端と、
前記上端と下端との間に長手方向にそれぞれ延在する、概して平行な対向する側部端縁と、
前記長手方向軸に対して横向きの環状リングを受けるための、前記上端および下端のうちの一方に隣接した第１の舌部とを備え、リングは、その後、前記舌部の領域において前
記磁石セグメントを概して均一に圧縮して、ロータ上の動作位置に前記磁石セグメントを保持するように電磁気形成動作の際に変形する、永久磁石セグメント。
【請求項２１】
前記第１の舌部は、前記外面から嵌め込まれた半円形の肩部を含む、請求項２０に記載の永久磁石セグメント。
【請求項２２】
前記第１の舌部は、前記外面から嵌め込まれた凸形の半円筒形の壁を含む、請求項２１に記載の永久磁石セグメント。
【請求項２３】
前記第２の舌部は、前記上端および下端のうちの他方に隣接しており、前記第２の舌部は、前記外面から嵌め込まれた半円形の肩部と凸形の半円筒形の壁とを含む、請求項２２に記載の永久磁石セグメント。